(57)【要約】  ゲージアセンブリは、例えば車速やエンジン回転数等の情報を伝達するための複数の表示部を備えるダイヤルを含む。複数の発光ダイオード（LED）は、ダイヤルフェイスの周りの指針の位置に追従するように選択的に点灯され、運転手に伝達される測定値を付加的に表す。
2009544044.tif 000002
【特許請求の範囲】
【請求項１】
運転パラメータを示す表示部を含むゲージフェイスと、
前記ゲージフェイスに対して相対的に可動する指針と、
前記ゲージフェイスに対して相対的に動く前記指針の位置に応じて選択的に点灯状態になる複数の光源とを含む、
ことを特徴とするダイヤルゲージアセンブリ。
【請求項２】
前記複数の光源は、前記指針の放射状に形成された経路に沿って配置されている、
ことを特徴とする請求項１記載のダイヤルゲージアセンブリ。
【請求項３】
前記複数の光源は、前記ゲージフェイスによって覆われたプリント基板に取り付けられている、
ことを特徴とする請求項１記載のダイヤルゲージアセンブリ。
【請求項４】
前記ゲージフェイスは、前記指針の放射状に形成された経路に相応する複数の開口部を含む、
ことを特徴とする請求項３記載のダイヤルゲージアセンブリ。
【請求項５】
前記複数の光源は、前記指針の初期位置から、該初期位置から離れて位置する目下の位置までの前記放射状に形成された経路を表すように点灯状態になる、
ことを特徴とする請求項４記載のダイヤルゲージアセンブリ。
【請求項６】
前記複数の光源は、少なくとも２つの異なる色の光源を含む、
ことを特徴とする請求項４記載のダイヤルゲージアセンブリ。
【請求項７】
前記ゲージフェイスは、目盛り付きのセグメントフィルタを含む、
ことを特徴とする請求項４記載のダイヤルゲージアセンブリ。
【請求項８】
前記指針は、前記複数の光源を少なくとも部分的に覆っており、この複数の光源を覆っている前記指針の部分にシュラウドを含み、前記指針を超えて光が漏れ出るのを防ぐ、
ことを特徴とする請求項１記載のダイヤルゲージアセンブリ。
【請求項９】
前記ダイヤルゲージアセンブリは速度計を含み、前記表示部は車速を示す、
ことを特徴とする請求項１記載のダイヤルゲージアセンブリ。
【請求項１０】
前記ダイヤルゲージアセンブリはタコメータを含み、前記表示部はエンジンスピードを示す、
ことを特徴とする請求項１記載のダイヤルゲージアセンブリ。
【請求項１１】
放射状に配向された複数の開口部を含むゲージフェイスと、
該ゲージフェイスに対して相対的に回転可能な指針と、
複数の前記開口部を通り抜ける光を前記指針の回転に応じて伝達するために、放射状に配向された複数の光源とを含む、
ことを特徴とするダイヤルゲージアセンブリ。
【請求項１２】
前記指針は、初期位置から出発して、目下の位置まで前記ゲージフェイスの周りを回転し、
前記複数の光源は、指針の前記初期位置から前記目下の位置まで選択的に点灯される、
ことを特徴とする請求項１１記載のダイヤルゲージアセンブリ。
【請求項１３】
前記複数の光源は、前記指針とは反対側の前記ゲージフェイスに配置されたプリント基板に取り付けられる、
ことを特徴とする請求項１１記載のダイヤルゲージアセンブリ。
【請求項１４】
前記指針は、前記複数の光源の１つを覆うように配置された遮断部分を含み、前記指針を超えて光が放射されるのを防ぐ、
ことを特徴とする請求項１１記載のダイヤルゲージアセンブリ。
【請求項１５】
複数の前記光源は、複数の発光ダイオードを含む、
ことを特徴とする請求項１１記載のダイヤルゲージアセンブリ。
【請求項１６】
複数の前記光源は、少なくとも２つの異なる色の光源を含む、
ことを特徴とする請求項１１記載のダイヤルゲージアセンブリ。
【請求項１７】
複数の前記光源は、前記指針が前記複数の光源の位置をそれぞれ通り過ぎるのに応じて点灯される、
ことを特徴とする請求項１１記載のダイヤルゲージアセンブリ。
【発明の詳細な説明】
【技術分野】
【０００１】
本発明は概して、車両運転者に情報を伝達するためのゲージに関する。より詳細に言えば本発明は、ゲージ上の指針の位置を視覚的に改善するための特徴を含むゲージに関する。
【０００２】
車両運転性能および車両操作を示す情報は、ゲージ、ダイヤル等によって運転者に伝達される。回転する指針の円弧状経路の周りに目盛りを含むダイヤルは、車速、エンジン回転数およびその他多くの運転パラメータを示す情報を伝達するためには一般的である。このようなダイヤルは、非常に一般的に認知、支持された装置であるので、比較的新しい車両にもこの構成を維持することがよく望まれている。しかしまた、新しい車両モデルに対する興味を引き起こすことも望まれている。したがって、絶えず種々異なるレイアウトやダイヤル構成が取り入れられ、装備されている。
【０００３】
したがって、見栄えがよいという特徴を備えるゲージアセンブリをデザイン、開発し、認知された視認性を維持する一方で、所期のような最新の外観を提供することが求められている。
【０００４】
本発明の概要
実施例のゲージアセンブリは、例えば車速やエンジン回転数等の車両運転パラメータに関する情報を伝達するための複数の表示部を備えるダイヤルフェイスを含む。複数の発光ダイオード（LED）は、ダイヤルフェイスの周りで指針の位置に追従するように選択的に点灯される。
【０００５】
指針は、目下の運転パラメータの状態を伝達する表示部に対して相対的に、ダイヤルフェイスの周りを回転する。点灯は以下のように制御される。すなわち、複数のLEDのうち選択された数のLEDが指針の動きに追従し、ひいては運転者に伝達される測定値を付加的に表すように、点灯が制御されるのである。指針がダイヤルフェイスの周りを円弧状に動くにつれてより多くのLEDが点灯されていき、指針の位置と、ゲージアセンブリによって伝達される測定値とが強調的に表示される。
【０００６】
このようにして、図示、説明した実施例のゲージアセンブリは、視覚的な外観を改善するために、指針が円弧状に回転するに従って、測定値を表すように選択的に点灯するのである。
【０００７】
本発明の上記特徴およびその他の特徴は、以下の明細書および図面から理解することができる。以下、図面について簡単に説明する。
【図面の簡単な説明】
【０００８】
【図１】実施例のゲージアセンブリの概略図である。
【図２】複数の光源を含む実施例のプリント基板の斜視図である。
【図３】指針に隣接する数個の光源の拡大図である。
【図４】別の実施例によるゲージアセンブリの概略図である。
【０００９】
有利な実施形態の詳細な説明
図１によれば、ゲージアセンブリ１０はダイヤルフェイス１２を含み、このダイヤル１２は、車速またはエンジン回転数等の車両運転パラメータに関する情報を伝達するための複数の表示部を備えている。指針１４は、目下の運転パラメータの状態を伝達する表示部に対して相対的にダイヤルフェイス１２の周りを回転する。制御部２６は、所期の運転パラメータを測定する種々異なるセンサまたは別の装置から情報を受け取り、この情報を、指針１４の相応する回転運動に変換する。
【００１０】
実施例のゲージアセンブリ１０は、複数の発光ダイオード（LED）２５を含み、これらの発光ダイオード２５は、ダイヤルフェイス１２の外周部に近接する円弧状経路２４ないし放射状に形成された経路を規定している。これらの発光ダイオード２５は、ダイヤルフェイス１２の周りで指針１４の位置に追従するように選択的に点灯される。制御部２６は、LED２５の点灯を以下のように制御する。すなわち複数のLED２５のうち選択された数のLED２５が、指針１４の動きに追従し、ひいては運転者に伝達される測定値を付加的に表すように、点灯を制御するのである。
【００１１】
指針１４がダイヤルフェイスの周りを円弧状に動くにつれて、より多くのLEDが点灯されていき、指針の位置と、ゲージアセンブリ１０によって伝達される測定値とが強調的に表示される。点灯状態にあるLED２０は白色で図示され、一方、参照符号２２で示される点灯されていないLEDは暗い色で図示されている。
【００１２】
ダイヤルフェイス１２は、複数の開口部１８を規定するマスク１６を含む。これらの開口部１８は、背後にあるLED２０によって放射された光に対して輪郭を規定している。マスク１６にある開口部１８は、所期のように光を強めるために、光の一部を遮断し、ダイヤルフェイス１２を通り抜ける光を分割している。
【００１３】
図２によれば複数のLED２５は、プリント基板２８に所期の円形方向に取り付けられており、指針１４の円弧状の回転の輪郭をはっきり示し、この指針の回転に相応している。これら複数のLED２５は、それぞれ指針１４の幅３０よりも小さくなるように形成されている。またこれら複数のLED２５の間の間隔は、点灯が、指針１４の円弧状の動きより前に影響を受けないようになっている。このことにより、点灯されたLED２０と点灯されていないLED２２とを視覚的に分けることができる。制御部２６は、以下のようにして複数のLED２０を選択的に点灯する。すなわち指針が円弧状に回転運動している間、発光されるLED２０が常に指針１４の下にあるように、LED２０を点灯するのである。
【００１４】
図３によれば、ダイヤルフェイス１２の一部拡大図が示されており、このダイヤルフェイス１２は指針１４を含んでいる。指針１４は、最後に点灯されたLED２０を覆うように配置されており、点灯されたLED２０と点灯されていないLED２２とを所期のように境界画定し、視覚的に分けている。指針１４の幅３０は、所期のように分けることができるように、点灯されたLED２０の一部を常に覆うように定められている。
【００１５】
図４によれば、ダイヤルフェイス１２の周りを円弧状に動く指針１４を備える別のゲージアセンブリ１１が図示されている。点灯状態にあるLED２０からなる第１グループは、点灯されると、実施例では白色である第１の色の光を放射する。点灯状態にあるLED２３からなる第２グループは、ゲージアセンブリ１１の見栄えをさらに改善するために、例えば緑など、前記第１の色とは異なる第２の色を放射する。光源２５からなる第３グループは、前記第１の色および第２の色とは異なる別の色を含み、ゲージアセンブリ１１の複数の範囲間における別の識別を可能にする。光源２５からなる第３グループは、例えば黄色である。また、実施例の点灯されていないグループ２２は点灯されないままとなっているが、例えば赤色など別の色を放射するLEDを含み、ゲージアセンブリ１１によって測定された所期の範囲をさらに強調的に表示することもできる。
【００１６】
このようにして、図示、説明した実施例のゲージアセンブリは、視覚的な外観を改善するために、指針が円弧状に回転するに従って、測定値を表すように選択的に点灯するのである。
【００１７】
本発明の有利な実施形態を開示したが、通常の技術を有する当業者であれば、幾つかの特定の変更が本発明の範囲内に該当することは認識できるだろう。したがって本発明の正当な範囲および内容を決定するために、以下の特許請求の範囲を精査すべきである。
【図１】
2009544044.tif 000003
【図２】
2009544044.tif 000004
【図３】
2009544044.tif 000005
【図４】
2009544044.tif 000006
【国際調査報告】
2009544044.tif 000007
2009544044.tif 000008
2009544044.tif 000009